(57)【要約】      （修正有）【課題】ポータブル電子製品を保護できる他、使用時に個々人が必要とする香りを発散することができる芳香発散装置を備えるポータブルデバイスの保護カバーを提供する。【解決手段】保護カバーは、保護カバー本体１、スライド片２、蓋板４を備え、保護カバー本体背面には収容設置区１２を設置し、収容設置区の両側にはスライドレール１２１を形成し、スライド片２は収容設置区に設置し、その幅は、外セクション２１が狭く、内セクション２２が広い。スライド片の両側には対応する弾性定位部２２２を設置し、上には、中央にくり貫き部２３１を備え、芳香材料部品３を収容する設置部２３を設置する。スライド片を収容設置区１２に組合せ、蓋板４を保護カバー本体背面の結合部位１１に組み合わせる。芳香材料部品を設置したスライド片を収容設置区内に押し入れ、蓋板上には孔４１を設置し、芳香材料部品の香りは、孔４１から発散される。【選択図】図１
0003188526.tif 000002
【実用新案登録請求の範囲】
【請求項１】
芳香発散装置を備えるポータブルデバイスの保護カバーは、保護カバー本体、スライド片、蓋板を備え、
前記保護カバー本体背面には、収容設置区を設置し、前記収容設置区一端には、スライド片を通過させる欠口を備え、前記収容設置区両側には、スライドレールを形成し、前記スライドレールには、対応して定位凹部を設置し、
前記スライド片は、前記保護カバー本体の収容設置区位置に設置し、前記収容設置区において、スライドされて引き出され、或いは押し入れられ、前記スライド片両側には、前記スライドレールとに設置する定位凹部と係合する弾性定位部を設置し、前記スライド片上には、中央にくり貫き部を備え、芳香材料部品を設置する設置部を設置し、
前記蓋板は、前記保護カバー本体背面に組み合わせ、こうして前記保護カバー本体の収容設置区は、封鎖に近い状態を形成することを特徴とする芳香発散装置を備えるポータブルデバイスの保護カバー。
【請求項２】
前記スライド片の幅は、幅が狭い外セクションと幅が広い内セクションの二つのセクションを呈するよう設計され、
芳香材料部品を設置する、或いは交換する時には、前記スライド片を前記保護カバー本体の収容設置区より引き出し、こうして前記スライド片の幅が狭い外セクションは引き出され、前記スライド片の幅が広い内セクション両側前端は、前記保護カバー本体の収容設置区両側のスライドレール外端部が形成する停止部の制限を受け、これにより前記スライド片は停止し、それ以上引き出せないことを特徴とする請求項１に記載の芳香発散装置を備えるポータブルデバイスの保護カバー。
【請求項３】
前記蓋板上の、前記保護カバー本体のスライド片の設置部との相対位置には、孔を設置することを特徴とする請求項１に記載の芳香発散装置を備えるポータブルデバイスの保護カバー。
【請求項４】
前記蓋板外側面には、必要に応じて、各種装飾図案を加えることができることを特徴とする請求項１に記載の芳香発散装置を備えるポータブルデバイスの保護カバー。
【請求項５】
前記芳香材料部品は、芳香材料をしみこませた片材であることを特徴とする請求項１に記載の芳香発散装置を備えるポータブルデバイスの保護カバー。
【請求項６】
前記芳香材料部品は、芳香材料で製造する揮発性を備える固体芳香片材であることを特徴とする請求項１に記載の芳香発散装置を備えるポータブルデバイスの保護カバー。
【請求項７】
前記芳香材料は、香水材料、エッセンシャルオイル、或いは植物香料であることを特徴とする請求項５に記載の芳香発散装置を備えるポータブルデバイスの保護カバー。
【請求項８】
前記芳香材料部品は、無添加芳香材料の片材とすることができ、使用者は自ら好みの芳香材料を添加し、また自ら交換することができることを特徴とする請求項５に記載の芳香発散装置を備えるポータブルデバイスの保護カバー。
【考案の詳細な説明】
【技術分野】
【０００１】
本考案は芳香発散装置を備えるポータブルデバイスの保護カバーに関し、特に芳香発散装置を備えるポータブルデバイスの保護カバーは、保護カバー本体、スライド片、蓋板を備え、保護カバー本体背面には、両側にスライドレールを備える収容設置区を設置し、収容設置区位置にはスライド状に引き出し或いは押し入れることができるスライド片を組み合せて設置し、スライド片上には芳香材料部品を設置する設置部を設置し、設置部中央にはくり貫き部を設置し、蓋板を保護カバー本体背面の結合部位に組み合わせ、こうして収容設置区は封鎖に近い状態を形成し、蓋板上には孔を設置し、普段はスライド片の設置部に設置する芳香材料部品の香りは、蓋板の孔から発散され、携帯電話端末、タブレットPCなどのポータブルデバイスで通話し、或いは使用すると、いくらか熱を発し、それにより芳香材料部品の香りの発散効率を高めることができ、こうしてポータブルデバイスは体質改善、気分転換、蚊除け効果を備える香りを自然に発散することができる芳香発散装置を備えるポータブルデバイスの保護カバーに関する。
【背景技術】
【０００２】
科学技術の進歩で、携帯電話端末、タブレットPC、ポータブル音楽プレーヤーなどの携帯して使用する電子製品は、種類が多く、機能も日に日に向上している。機能の向上に従い、ポータブル電子デバイスの販売価格も上昇しているため、電子製品を破損から守り、使用寿命を拡大するための、保護カバーや保護シートによるポータブル電子デバイスの使用が広がっている。現在市販されている保護カバーは、種類が非常に多いが、ポータブル電子デバイスを衝撃や摩損から保護する他に、他の付加機能を備えていない。
さらに、外出時に香水を用いたり、気分転換用のエッセンシャルオイルや蚊除け液を携帯する人がいるが、一種の負担となっており、不便な面もある。
【考案の概要】
【考案が解決しようとする課題】
【０００３】
本考案の主要な目的は、ポータブル電子製品を保護できる他、使用時に個々人が必要とする香りを発散することができる芳香発散装置を備えるポータブルデバイスの保護カバーを提供することである。
【課題を解決するための手段】
【０００４】
前記目的を達成するために、本考案は下記の芳香発散装置を備えるポータブルデバイスの保護カバーを提供する。
芳香発散装置を備えるポータブルデバイスの保護カバーは、保護カバー本体、スライド片、蓋板を備え、
該保護カバー本体背面には、両側にスライドレールを備える収容設置区を設置し、
該収容設置区位置には、スライド状に引き出し或いは押し入れることができるスライド片を組み合せて設置し、
該スライド片上には、芳香材料部品を設置する設置部を設置し、
該設置部中央には、くり貫き部を設置し、
該蓋板を、該保護カバー本体背面の結合部位に組み合わせ、こうして該収容設置区は封鎖に近い状態を形成し、該蓋板上には孔を設置し、
普段は、該スライド片の設置部に設置する芳香材料部品の香りは、該蓋板の孔から発散され、携帯電話端末、タブレットPCなどのポータブルデバイスで通話し、或いは使用すると、いくらか熱を発し、それにより、芳香材料部品の香りの発散効率を高めることができ、こうして、ポータブルデバイスは体質改善、気分転換、蚊除け効果を備える香りを自然に発散する。
【考案の効果】
【０００５】
本考案の芳香発散装置を備えるポータブルデバイスの保護カバーは、ポータブル電子製品を保護できる他、使用時に個々人が必要とする香りを発散することができる。
【図面の簡単な説明】
【０００６】
【図１】本考案の一実施形態の立体分解図である。
【図２】本考案とポータブルデバイス結合後の立体図である。
【図３】本考案において、スライド片を引き出し、芳香材料部品をセットする、或いは交換する様子を示す実施形態立体図である。
【図４】本考案において、スライド片を引き出し、芳香材料部品をセットする、或いは交換する様子を示す実施形態模式図である。
【図５】本考案において、スライド片を押し入れる時の実施例模式図である。
【考案を実施するための形態】
【０００７】
以下に本考案の技術内容、構造特徴、達成する目的及び作用効果について、以下に例を挙げ並びに図面を組み合わせて詳細に説明する。
【０００８】
図１、２に示すように、芳香発散装置を備えるポータブルデバイスの保護カバーは、保護カバー本体１、スライド片２、蓋板４を備える。
【０００９】
保護カバー本体１は、ポータブルデバイス５に嵌めて組み合わせる。保護カバー本体１背面には、収容設置区１２を設置する。収容設置区１２一端には、スライド片２を通過させる欠口１２２を備える。収容設置区１２両側には、スライドレール１２１を形成する。
【００１０】
スライド片２は、収容設置区１２位置に設置する。スライド片２の幅は、幅が狭い外セクション２１、幅が広い内セクション２２を呈する。スライド片２両側には、対応する弾性定位部２２２を設置する。スライド片２上には、中央にくり貫き部２３１を備え、芳香材料部品３を設置する設置部２３を設置し、スライド片２を、保護カバー本体１背面の収容設置区１２に組み合わせる。
【００１１】
蓋板４は、保護カバー本体１背面の結合部位１１に組み合わせる。これにより、スライド片２は、収容設置区１２において、スライドされて引き出され、或いは押し入れられる。こうして、収容設置区１２は、封鎖に近い状態を形成する。
【００１２】
芳香材料部品３を設置する、或いは交換する時には、スライド片２を、収容設置区１２より引き出す(図３参照)。こうして、スライド片２の幅が狭い外セクション２１は引き出され、スライド片２の幅が広い内セクション２２両側前端２２１は、収容設置区１２両側のスライドレール１２１外端部が形成する停止部１２１１の制限を受ける。これにより、スライド片２は停止し、それ以上引き出せない(図４参照)。この時、芳香材料部品３を、スライド片２の設置部２３に置き、スライド片２を収容設置区１２内に押して入れる。スライド片２両側の弾性定位部２２２が、収容設置区１２両側のスライドレール１２１対応位置に設置する定位凹部１２１２に係合すると、スライド片２は定位される(図５参照)。しかも、スライド片２外端には、フランジ２４を設置し、これによりスライド片２の引き出しに有利とする。
【００１３】
蓋板４上の、スライド片２設置部２３との相対位置には、孔４１を設置する。普段は、スライド片２の設置部２３に設置する芳香材料部品３の香りは、蓋板４の孔４１から発散される。さらに、携帯電話端末、タブレットＰＣなどのポータブルデバイス５で通話し、或いは使用すると、いくらか熱を発し、それにより芳香材料部品３の香りの発散効率を高めることができる。こうして、ポータブルデバイス５は、香りを自然に発し、しかも蓋板４と保護カバー本体１とが結合後は、収容設置区１２は、封鎖区を形成するため、芳香材料部品３が発散する香りは外に漏れず、蓋板４の孔４１に集中して発散される。
【００１４】
しかも、蓋板４外側面には、必要に応じて、各種装飾図案を加えることができる。また、芳香材料部品３は、芳香材料をしみこませたコットンなどの片材、或いは揮発性固体芳香片材に製造した芳香材料である。芳香材料は、香水材料、エッセンシャルオイル、或いは植物香料である。もちろん、効果に応じて区分し、必要に応じて、体質改善、気分転換、蚊除け効果を備える芳香材料を使用することができる。使用する芳香材料部品３の片材は、無添加芳香材料の片材とすることができ、使用者は自ら好みの芳香材料を添加し、また自ら交換することができる。
上記したように、本考案は携帯電話端末、タブレットＰＣなどのポータブルデバイスを通話に用い、或いは使用する最中に、香りを自然に発散する効果を達成することができる。
【符号の説明】
【００１５】
１  保護カバー本体
１１  結合部位
１２  収容設置区
１２１  スライドレール
１２１１  停止部
１２１２  定位凹部
１２２  欠口
２  スライド片
２１  幅が狭い外セクション
２２  幅が広い内セクション
２２１  側前端
２２２  弾性定位部
２３  設置部
２３１  くり貫き部
２４  フランジ
３  芳香材料部品
４  蓋板
４１  孔
５  ポータブルデバイス
【図１】
0003188526.tif 000003
【図２】
0003188526.tif 000004
【図３】
0003188526.tif 000005
【図４】
0003188526.tif 000006
【図５】
0003188526.tif 000007
【手続補正書】
【提出日】平成25年11月20日(2013.11.20)
【手続補正１】
【補正対象書類名】実用新案登録請求の範囲
【補正対象項目名】請求項１
【補正方法】変更
【補正の内容】
【請求項１】
芳香発散装置を備えるポータブルデバイスの保護カバーは、保護カバー本体、スライド片、蓋板を備え、
前記保護カバー本体背面には、収容設置区を設置し、前記収容設置区一端には、スライド片を通過させる欠口を備え、前記収容設置区両側には、スライドレールを形成し、前記スライドレールには、対応して定位凹部を設置し、
前記スライド片は、前記保護カバー本体の収容設置区位置に設置し、前記収容設置区において、スライドされて引き出され、或いは押し入れられ、前記スライド片両側には、前記スライドレールとに設置する定位凹部と係合する弾性定位部を設置し、前記スライド片上には、中央にくり貫き部を備え、芳香材料部品を設置する設置部を設置し、
前記蓋板は、前記保護カバー本体背面に組み合わせることを特徴とする芳香発散装置を備えるポータブルデバイスの保護カバー。